(57)【要約】【課題】非接触ＩＣカードを複数枚用いる料金収受が可能な非接触ＩＣカード対応料金収受処理機を提供すること。【解決手段】非接触ＩＣカードに保持された残額情報と入口情報とを無線受信可能であり、かつ少なくとも変更後の残額情報を無線送信可能なアンテナと、受信された入口情報により料金情報を生成し、該生成された料金情報に基づき受信された残額情報から変更後の残額情報を生成する処理部と、生成された料金情報より受信された残額情報の方が額として小さい場合にその旨および不足分を報知する報知部と、報知により、報知に係る非接触ＩＣカードとは異なる第２の非接触ＩＣカードがアンテナに近接されその残額情報がアンテナにより受信されたとき、不足分に基づいて第２の非接触ＩＣカードから不足分を引き去った変更後の残額情報を生成する第２の処理部とを具備する。【選択図】      図４
2004341950.tif 000002
【特許請求の範囲】
【請求項１】
非接触ＩＣカードに保持された残額情報と入口情報とを無線受信可能であり、かつ少なくとも変更後の残額情報を無線送信可能なアンテナと、
前記受信された入口情報により料金情報を生成し、該生成された料金情報に基づき前記受信された残額情報から変更後の残額情報を生成する処理部と、
前記生成された料金情報より前記受信された残額情報の方が額として小さい場合にその旨および不足分を報知する報知部と、
前記報知により、前記報知に係る非接触ＩＣカードとは異なる第２の非接触ＩＣカードが前記アンテナに近接されその残額情報が前記アンテナにより受信されたとき、前記不足分に基づいて前記第２の非接触ＩＣカードから前記不足分を引き去った変更後の残額情報を生成する第２の処理部と
を具備することを特徴とする非接触ＩＣカード対応料金収受処理機。
【請求項２】
前記報知の後、前記報知に係る非接触ＩＣカードによる支払いを取り消すための入力を受け付ける取り消し受け付け部と、
前記受け付けられた取り消し入力により前記報知に係る非接触ＩＣカードを前記アンテナに近接させるように促す報知を行なう第２の報知部と、
前記第２の報知部による報知により、前記報知に係る非接触ＩＣカードが前記アンテナに近接されるに伴い、さらに変更された変更後の残額情報を前記取り消しに応ずるように生成する第３の処理部と
をさらに具備することを特徴とする請求項１記載の非接触ＩＣカード対応料金収受処理機。
【請求項３】
前記処理部は、変更後の前記残額情報を生成するとともにさらに出口情報を生成し、
前記第３の処理部は、さらに変更された変更後の前記残額情報を前記取り消しに応ずるように生成するとともにさらに前記生成された出口情報の消去の指示情報を生成し、
前記アンテナは、変更後の前記残額情報とともにさらに前記生成された出口情報を無線により近接地点に送信可能であり、かつ、さらに変更された変更後の前記残額情報とともにさらに前記生成された指示情報を無線により近接地点に送信可能である
ことを特徴とする請求項２記載の非接触ＩＣカード対応料金収受処理機。
【請求項４】
前記処理部は、さらに、前記不足分が生じた旨の情報を履歴情報の追加分として生成し、
前記アンテナは、変更後の前記残額情報とともにさらに前記生成された履歴情報の追加分を無線により近接地点に送信可能である
ことを特徴とする請求項１記載の非接触ＩＣカード対応料金収受処理機。
【請求項５】
前記アンテナは、さらに、非接触ＩＣカードに保持されたカード固有情報を近接地点から無線により受信可能であり、
前記第２の処理部は、さらに、前記報知に係る非接触ＩＣカードの前記受信されたカード固有情報を前記第２の非接触ＩＣカードに保持させるべき履歴情報の追加分として生成し、
前記アンテナは、前記第２の非接触ＩＣカードの変更後の前記残額情報とともにさらに前記生成された履歴情報の追加分を無線により近接地点に送信可能である
ことを特徴とする請求項１記載の非接触ＩＣカード対応料金収受処理機。
【請求項６】
前記処理部は、さらに、前記不足分が生じた旨の情報を履歴情報の追加分として生成し、
前記第３の処理部は、前記取り消しに応じた旨の情報を履歴情報の第２の追加分として生成し、
前記アンテナは、変更後の前記残額情報とともにさらに前記生成された履歴情報の追加分を無線により近接地点に送信可能であり、かつ、さらに変更された変更後の前記残額情報とともにさらに前記生成された履歴情報の第２の追加分を無線により近接地点に送信可能である
ことを特徴とする請求項２記載の非接触ＩＣカード対応料金収受処理機。
【請求項７】
車両の存在を検知するセンサと、
前記報知の後、前記報知に係る非接触ＩＣカードとは異なる第２の非接触ＩＣカードが前記アンテナに近接されその残額情報が前記アンテナにより受信される前であってかつさらに変更された変更後の前記残額情報を前記取り消しに応ずるように生成する前に前記センサによって車両の存在が検知されなくなった場合に、前記報知に係る非接触ＩＣカードの前記カード固有情報と前記処理部における処理内容とを記録する記録部と
をさらに具備することを特徴とする請求項２記載の非接触ＩＣカード対応料金収受処理機。
【請求項８】
前記報知部は、前記第２の処理部の前記情報生成によってもなお不足分が生じる場合には、再度不足の旨およびその不足分を報知することを特徴とする請求項１記載の非接触ＩＣカード対応料金収受処理機。
【請求項９】
前記報知部は、前記第２の処理部の前記情報生成によってもなお不足分が生じる場合には、再度不足の旨およびその不足分を報知し、
前記第２の報知部は、前記報知に係る非接触ＩＣカードを前記アンテナに近接させるように促すことに代えて、最初の報知に係る非接触ＩＣカードを前記アンテナに近接させるように促し、
前記第３の処理部は、前記最初の報知に係る非接触ＩＣカードが前記アンテナに近接されるに伴い、さらに変更された変更後の残額情報を前記取り消しに応ずるように生成する
ことを特徴とする請求項２記載の非接触ＩＣカード対応料金収受処理機。
【発明の詳細な説明】
【０００１】
【発明の属する技術分野】
本発明は、非接触ＩＣカードを用いて料金の収受を行なうための非接触ＩＣカード対応料金収受処理機に係り、特に、非接触ＩＣカードを複数枚用いる料金収受に適する非接触ＩＣカード対応料金収受処理機に関する。
【０００２】
【従来の技術】
非接触ＩＣカードは、近接の外部より所定の電磁波が照射されることにより内部の処理回路が動作し、内部に保持された残額情報が利用料金に応じて減額、保持し直される高機能、高セキュリティのプリペイド式のカードである。このような利便性を活用し、自動車専用道などの有料道路の料金収受にも利用が検討されている。
【０００３】
非接触ＩＣカードによる料金収受は、ＥＴＣ（ｅｌｅｃｔｒｏｎｉｃ  ｔｏｌｌ  ｃｏｌｌｅｃｔｉｏｎ）システムのように車両ノンストップで料金収受を行なうものではないが、車両側に車載器が不要であることや車載器専用のＩＣカード（クレジットカード）を必要としないなどの点で道路利用者にとって使いやすいと考えられる。また、通行券を用いる人手による料金収受よりその処理時間の短縮も図れる。なお、ＥＴＣシステムに関する従来技術として例えば下記特許文献１に記載されたものがある。
【０００４】
【特許文献１】
特開２００２−２３０５９５号公報
【０００５】
【発明が解決しようとする課題】
非接触ＩＣカードは、電磁波を照射するアンテナへ近づけることでカード内のＣＰＵ（ｃｅｎｔｒａｌ  ｐｒｏｃｅｓｓｉｎｇ  ｕｎｉｔ）が動作し、アンテナとの間で無線交信を行なう。自動車専用道などの有料道路の料金収受用として用いるＩＣカードの内部メモリ上には、例えば、入口情報、出口情報、履歴情報、残額情報を記憶するエリアを設ける。
【０００６】
このような非接触ＩＣカードを使用した料金収受は例えば次のようになされる。まず、入口、出口には非接触ＩＣカードと交信を行なうアンテナを含む処理機が設置される。入口の処理機は、非接触ＩＣカードが近接された時点で無線交信を行ない、入口情報を非接触ＩＣカードに書き込む。出口の処理機は、非接触ＩＣカードが近接された時点で、非接触ＩＣカードの入口情報、残額情報を読み取り、その入口情報により通行料金を算出し、残額情報の残額から通行料金を引き去る。そして、新たな残額情報のほか出口情報と履歴情報の追加分として引去履歴とを非接触ＩＣカードに書き込み料金収受を完了する。
【０００７】
ここで、出口の処理機で、非接触ＩＣカードに保持された残額情報が通行料金に満たないと検知された場合はその旨を表示し、その非接触ＩＣカードに書き込みを行なわないようにする。この場合には、他の支払方法で料金の支払いを行なう。
【０００８】
このように、非接触ＩＣカードの残額が通行料金に満たないと、処理機だけでは処理ができず、有人または自動機などを使用して、別の支払方法で利用料金を支払う必要がある。この場合、料金収受の処理時間短縮があまりされない。また、残額を有している非接触ＩＣカードを複数枚持っていても、使用できる非接触ＩＣカードは１回の利用につき１枚のみとなり、利便性が悪い。
【０００９】
本発明は、このような事情を考慮してなされたもので、非接触ＩＣカードを用いて料金の収受を行なうための非接触ＩＣカード対応料金収受処理機において、非接触ＩＣカードを複数枚用いる料金収受が可能な非接触ＩＣカード対応料金収受処理機を提供することを目的とする。
【００１０】
【課題を解決するための手段】
上記の課題を解決するため、本発明に係る非接触ＩＣカード対応料金収受処理機は、非接触ＩＣカードに保持された残額情報と入口情報とを無線受信可能であり、かつ少なくとも変更後の残額情報を無線送信可能なアンテナと、前記受信された入口情報により料金情報を生成し、該生成された料金情報に基づき前記受信された残額情報から変更後の残額情報を生成する処理部と、前記生成された料金情報より前記受信された残額情報の方が額として小さい場合にその旨および不足分を報知する報知部と、前記報知により、前記報知に係る非接触ＩＣカードとは異なる第２の非接触ＩＣカードが前記アンテナに近接されその残額情報が前記アンテナにより受信されたとき、前記不足分に基づいて前記第２の非接触ＩＣカードから前記不足分を引き去った変更後の残額情報を生成する第２の処理部とを具備することを特徴とする。
【００１１】
すなわち、非接触ＩＣカードとの間で所定の情報を送受信可能なアンテナ、所定の手順により非接触ＩＣカードが有する変更後の残額情報を生成する処理部に加えて、料金不足の場合にその旨および不足分を報知する報知部を設ける。そして、この報知により、報知に係る非接触ＩＣカードとは異なる第２の非接触ＩＣカードがアンテナに近接され、その残額情報がアンテナにより受信されると、第２の非接触ＩＣカードの変更後の残額情報を不足分に基づき生成する。
【００１２】
よって、第２の非接触ＩＣカードの残額も料金収受に用いられるようにすることができる。したがって、非接触ＩＣカードを複数枚用いる料金収受が可能な非接触ＩＣカード対応料金収受処理機を提供することができる。
【００１３】
なお、「入口情報」には、少なくとも入口を特定するための情報（名前やコード）が含まれる。「報知部」による報知には、例えば、表示装置による視覚に訴える報知や音声案内による聴覚に訴える報知が含まれる。
【００１４】
【発明の実施の形態】
本発明の実施態様としての非接触ＩＣカード対応料金収受処理機は、前記報知の後、前記報知に係る非接触ＩＣカードによる支払いを取り消すための入力を受け付ける取り消し受け付け部と、前記受け付けられた取り消し入力により前記報知に係る非接触ＩＣカードを前記アンテナに近接させるように促す報知を行なう第２の報知部と、前記第２の報知部による報知により、前記報知に係る非接触ＩＣカードが前記アンテナに近接されるに伴い、さらに変更された変更後の残額情報を前記取り消しに応ずるように生成する第３の処理部とをさらに具備するようにしてもよい。
【００１５】
これは、非接触ＩＣカードの残額が利用料金より少ない場合に、利用者の選択によりその非接触ＩＣカードでの支払いを取り消せるように構成するものである。
【００１６】
また、ここで、実施態様として、前記処理部は、変更後の前記残額情報を生成するとともにさらに出口情報を生成し、前記第３の処理部は、さらに変更された変更後の前記残額情報を前記取り消しに応ずるように生成するとともにさらに前記生成された出口情報の消去の指示情報を生成し、前記アンテナは、変更後の前記残額情報とともにさらに前記生成された出口情報を無線により近接地点に送信可能であり、かつ、さらに変更された変更後の前記残額情報とともにさらに前記生成された指示情報を無線により近接地点に送信可能であるようにしてもよい。
【００１７】
これは、支払いに係る非接触ＩＣカードに出口情報をも書き込むようにした場合に、上記の支払い取り消しを選択したときには、出口で一旦書き込まれた出口情報を消去するように構成するものである。すなわち、報知に係る非接触ＩＣカードを料金支払いに使用しないのでもとに戻す。
【００１８】
また、実施態様として、前記処理部は、さらに、前記不足分が生じた旨の情報を履歴情報の追加分として生成し、前記アンテナは、変更後の前記残額情報とともにさらに前記生成された履歴情報の追加分を無線により近接地点に送信可能であるようにしてもよい。
【００１９】
不足分が生じ他の非接触ＩＣカードでの支払い処理が必要になったことを履歴情報の一部として支払いに係る非接触ＩＣカードに記録するものである。
【００２０】
また、実施態様として、前記アンテナは、さらに、非接触ＩＣカードに保持されたカード固有情報を近接地点から無線により受信可能であり、前記第２の処理部は、さらに、前記報知に係る非接触ＩＣカードの前記受信されたカード固有情報を前記第２の非接触ＩＣカードに保持させるべき履歴情報の追加分として生成し、前記アンテナは、前記第２の非接触ＩＣカードの変更後の前記残額情報とともにさらに前記生成された履歴情報の追加分を無線により近接地点に送信可能であるようにしてもよい。
【００２１】
不足分の支払いに供せられた非接触ＩＣカード（第２の非接触ＩＣカード）にどの非接触ＩＣカードの不足分を補ったのかを履歴情報の一部として残すものである。
【００２２】
また、実施態様として、前記処理部は、さらに、前記不足分が生じた旨の情報を履歴情報の追加分として生成し、前記第３の処理部は、前記取り消しに応じた旨の情報を履歴情報の第２の追加分として生成し、前記アンテナは、変更後の前記残額情報とともにさらに前記生成された履歴情報の追加分を無線により近接地点に送信可能であり、かつ、さらに変更された変更後の前記残額情報とともにさらに前記生成された履歴情報の第２の追加分を無線により近接地点に送信可能であるようにしてもよい。
【００２３】
不足分が生じ他の非接触ＩＣカードでの支払い処理が必要になったことを履歴情報の一部として残して、かつ、上記で述べた支払い取り消しを選択したときには、その取り消した旨をも履歴情報の一部として残すものである。
【００２４】
また、実施態様としての非接触ＩＣカード対応料金収受処理機は、車両の存在を検知するセンサと、前記報知の後、前記報知に係る非接触ＩＣカードとは異なる第２の非接触ＩＣカードが前記アンテナに近接されその残額情報が前記アンテナにより受信される前であってかつさらに変更された変更後の前記残額情報を前記取り消しに応ずるように生成する前に前記センサによって車両の存在が検知されなくなった場合に、前記報知に係る非接触ＩＣカードの前記カード固有情報と前記処理部における処理内容とを記録する記録部とをさらに具備するようにしてもよい。
【００２５】
第２の非接触ＩＣカードによる支払いが完了しないで車両が所定の位置から移動した場合に対応するものである。すなわち、これによれば、処理部による処理内容が記録されるので、これを参照して例えば人手によって補足的に料金収受処理を行なうことができる。また、非接触ＩＣカードの固有情報が記録されるので、後日（後方で）収受処理を行なう場合にも活用できる。
【００２６】
また、実施態様として、前記報知部は、前記第２の処理部の前記情報生成によってもなお不足分が生じる場合には、再度不足の旨およびその不足分を報知するようにしてもよい。これによれば、３枚以上の非接触ＩＣカードにより料金支払いをすることができる。
【００２７】
また、実施態様として、前記報知部は、前記第２の処理部の前記情報生成によってもなお不足分が生じる場合には、再度不足の旨およびその不足分を報知し、前記第２の報知部は、前記報知に係る非接触ＩＣカードを前記アンテナに近接させるように促すことに代えて、最初の報知に係る非接触ＩＣカードを前記アンテナに近接させるように促し、前記第３の処理部は、前記最初の報知に係る非接触ＩＣカードが前記アンテナに近接されるに伴い、さらに変更された変更後の残額情報を前記取り消しに応ずるように生成するようにしてもよい。
【００２８】
これによれば、２枚以上の非接触ＩＣカードで支払いを試みたあとで、残額が利用額に満たなくて非接触ＩＣカードでの支払いを取り消すときの手間が小さく抑えられる。すなわち、最初に用いた非接触ＩＣカードにまとめて残額が戻される。
【００２９】
以上を踏まえ、以下では本発明の実施形態を図面を参照しながら説明する。まず非接触ＩＣカードについて説明する。図１は、本発明の一実施形態に係る非接触ＩＣ対応料金収受処理機が対応可能な非接触ＩＣカードにおけるその内部メモリのメモリフォーマットを示す図である。
【００３０】
図１に示すように、非接触ＩＣカードのメモリ１０には、少なくとも、固有情報エリア１１、入口情報エリア１２、出口情報エリア１３、残額情報エリア１４、履歴情報エリア１５がある。なお、非接触ＩＣカードには、このようなメモリ１０のほかに周知のようにＣＰＵやアンテナなどがその板形状内に封じられるように収められている。
【００３１】
固有情報エリア１１にはカード番号などのそのカードに固有の情報が記録されている。入口情報エリア１２には、入口インター名、処理時刻（入場時刻）などが記録される。入口情報は、通常、入口インターで書き込まれ出口インターで消去される。出口情報エリア１３には、出口インター名、処理時刻（出場時刻）などが記録される。出口情報は、通常、出口インターで書き込まれ入口インターで消去される。残額情報エリア１４には、プリペイド金額のうちの現在の残り金額が記録される。履歴情報エリア１５には、出口での処理の経過や結果、出口情報、残額変動などが追記的に記録される。なお、非接触ＩＣカードには周知のように所定の処理機を用いあらかじめ一定範囲の金額を収容（チャージ）しておくことができる。
【００３２】
図２は、本発明の一実施形態に係る非接触ＩＣ対応料金収受処理機の構成を示すブロック図である。図２に示すように、この料金収受処理機は、ＣＰＵ２１、メモリ２２、アンテナ２３、車両センサ２４、表示部２５、操作部２６、電源部２７、収受装置インターフェース部２８を有する。
【００３３】
ＣＰＵ２１は、この料金収受処理機の動作を統括的に制御するものである。制御される対象は、図２に示すようにメモリ２２ないし収受装置インターフェース部２８であり、これらは例えばバスなどによりＣＰＵ２１に接続されている。また、ＣＰＵ２１は、上記説明の処理部（および第２の処理部、第３の処理部）として情報処理を行なうようにも機能する。
【００３４】
メモリ２２は、ＣＰＵ２１が実行するプログラムを保持したり、ＣＰＵ２１の動作に必要な一時的な情報の保持エリアとして機能する。アンテナ２３は、非接触ＩＣカードとの通信のための電磁波を送受する。アンテナ２３により非接触ＩＣカードとの無線での情報のやり取りができる。その無線送受範囲は、例えば数ｃｍないし数十ｃｍのごく近接した領域である。
【００３５】
車両センサ２４は、この料金収受処理機を用いて料金収受処理を行なおうとする車両の存在を検知するものである。したがって通常、この料金収受処理機が設置される車線横近くに設けられる。例えば、その車線を横切るように光ビームを照射して車線横で受光、光検出するように構成すればその光ビームの遮断により車両の存在を検知できる。
【００３６】
表示部２５は、上記説明の報知部（および第２の報知部）として機能するものであり、利用者に必要な情報を表示しまた所定の行為を促すように例えば文字など表示するものである。表示部２５には、周知の各種の表示装置を用いることができる。また、操作部２６は、利用者が必要に応じてその意思を入力するものである。ここでは、最低限、この料金収受処理機による処理を取り消す入力を受け付け可能なものとする。例えばボタンを備えこれを押下して入力する。
【００３７】
電源部２７は、この料金収受処理機が動作するための電力を供給する部位である。また、収受装置インターフェース部２８は、収受装置との通信のインターフェースとなる部分である。ここで、収受装置とは、例えば手入力により料金収受を行なう従来から料金収受ブースに設けられている装置である。この収受装置がすでに料金収受ブースに設けられていることを前提に、ここで説明する非接触ＩＣカード対応料金収受機を新たに設ける。
【００３８】
図３は、上記説明の非接触ＩＣカード対応料金収受機を実際に道路に設ける場合の構成を模式的に示す斜視図である。図３に示すように、出口車線３５の車線横にこの料金収受機を設け、さらに、車線横に設けられた料金収受機の正面付近に車両が存在することを検知するため、出口車線３５を横切って光ビームが照射されるように車両センサ３４を設ける。
【００３９】
車両センサ３４によりその存在が検知されるように車両が停車中、利用者はアンテナ３３、操作部３１、表示部３２により非接触ＩＣカードを用いて料金支払い操作が可能である。すなわち、利用者がアンテナ３３に非接触ＩＣカードを近接可能な位置にいるときに、利用者は操作部３１による操作、表示部３２に表示された情報の視認ができる。なお、アンテナ３３、操作部３１、表示部３２、車両センサ３４は、それぞれ、図２における同名のものに対応する。
【００４０】
出口車線３５の横にもともと設けられている収受装置３６は、図３において左側にありこの位置が従来の料金収受ブースとなる位置関係である。このような位置関係により、非接触ＩＣカード対応料金収受機での料金支払いが残高不足などにより未完になった場合に、車両が移動して例えば人手を介して料金収受処理を行なうことができる。
【００４１】
次に、以上説明した非接触ＩＣカード対応料金収受機における動作を図４ないし図６の流れ図をも参照して説明する。図４は、本発明の一実施形態に係る非接触ＩＣカード対応料金収受機の動作フローを示す流れ図である。
【００４２】
出口車線横に設置された非接触ＩＣカード対応料金収受機の運用が開始されると、まず、車両センサによって車両が検知されるまで待機する状態となる（ステップ４１）。検知がされない間は（ステップ４２のＹ）、その状態が継続する。車両センサによる車両検知があると（ステップ４２のＮ）、すなわち非接触ＩＣカード対応料金収受機前に車両が停止すると、利用者に非接触ＩＣカードによる料金支払いを促すため表示部に「カード受け付け中」を表示する（ステップ４３）。
【００４３】
ここで、利用者により非接触ＩＣカードがアンテナに近接されると非接触ＩＣカード受信処理がなされる（ステップ４４）。この処理は基本的に非接触ＩＣカードに保持された情報として少なくともカード固有情報、入口情報、残額を読み取るものであり、読み取られることなく車両が移動した場合にはその退出検出も行なう。ステップ４４の詳細は後述する（図５）。
【００４４】
ステップ４４での処理のリターンステータスが「退出」である場合、すなわち非接触ＩＣカードに保持された情報が読み取られることなく車両が移動した場合には（ステップ４５のＹ）、最初のステップ４１の状態に戻る。この場合には、非接触ＩＣカード対応料金収受機として、その車両が移動してしまっているので更なる処理は行なわない。料金収受は図３で説明したように例えば従来の収受装置３６により例えば人手を介して行なう。
【００４５】
リターンステータスが「退出」でなければ非接触ＩＣカードに保持された情報として少なくともカード固有情報、入口情報、残額が読み取られるはずなので、そのうち入口情報が正常に得られたかを確認する（ステップ４６）。入口情報が得られない場合は、その非接触ＩＣカードは入口で入口情報が書き込まれた非接触ＩＣカードではなく料金支払いの対象となるものではない。そこでステップ４３に戻り料金支払い対象の非接触ＩＣカードが読み取られる状態を維持する。
【００４６】
入口情報が正常に得られた場合には、少なくともカード固有情報、残額も読み取られているので、入口情報から利用料金を算出し、その利用料金により減額変更された残額（以下、変更残額という。）を算出することができる（ステップ４７）。なお、利用料金より残額の方が少ない場合もあり得るが、変更残額は最低で０円である。不足分については後述するように対処する。
【００４７】
続けて、アンテナに近接されている非接触ＩＣカードに対して、算出された変更残額のほか、出口情報、履歴情報を無線で書き込む（ステップ４８）。履歴情報としては、不足分が生じた場合にはその旨も書き込む。また、ここで入口情報の消去を行なうようにしてもよい。なお、ここで述べた「変更残額」は「変更後の残額情報」に相当している。
【００４８】
情報を書き込んだら、次に、利用料金より上記残額が少なかった場合には（ステップ４９のＹ）、ステップ５４、５５、５６の処理（残額が不足したときの処理）を行なう。ステップ５５などの処理の詳細は後述する（図６）が、概略的には、２枚目、３枚目の非接触ＩＣカードによって不足分を支払うかまたは非接触ＩＣカードによる支払いを利用者の選択により取り止めるかの処理を行なう。また、これらの処理が完了する前に車両が移動した場合にはその検出も行なう。
【００４９】
ステップ４８で情報を書き込みかつ利用料金より上記残額が少なくなかった場合には（ステップ４９のＮ）、支払いに問題がないので、利用者に出場を促すため表示部に変更残額と「通行可能」の表示を行なう（ステップ５０）。そして、車両センサによって車両の退出が検知されるまで待機する状態となる（ステップ５１）。退出が検知されない間は（ステップ５２のＮ）、その状態が継続する。退出が検知されると（ステップ５２のＹ）、表示部の表示を終了し（ステップ５３）、最初の状態（ステップ４１）に戻り次の車両に対する処理を行なう。
【００５０】
図５は、図４中に示したステップ４４（非接触ＩＣカード受信処理）を詳細に示す流れ図である。この処理中においては非接触ＩＣカードがアンテナに近接されるはずである。そこで、非接触ＩＣカードからの電波受信を待って待機する（ステップ４４１）。受信がない場合には（ステップ４４１のＹ）、車両センサによって車両の存在をチェックし（ステップ４４５）、車両が存在していれば（ステップ４４６のＹ）、非接触ＩＣカードが近接されるはずなので、ステップ４４１に戻り電波受信の待機状態を維持する。
【００５１】
車両センサにより車両が存在していないと検知された場合には（ステップ４４６のＮ）、車両が移動されてしまったとしてリターンステータスを「退出」として（ステップ４４７）リターンする。この場合には、非接触ＩＣカードに保持されたカード固有情報、入口情報、残額は読み取られることなくリターンする。この場合のその後の処理はすでに述べた通りである。
【００５２】
非接触ＩＣカードから電波受信があった場合には（ステップ４４２のＮ）、それにより非接触ＩＣカードに保持された少なくともカード固有情報、入口情報、残額を読み取る（ステップ４４３）。そして、リターンステータスを「正常」として（ステップ４４４）リターンする。
【００５３】
図６は、図４中に示したステップ５５（残額不足時処理）を詳細に示す流れ図である。図４に示したように、１枚目の非接触ＩＣカードの残額が利用料金より少ない場合には、残額が不足した場合の処理に移行する。この場合には、図４に示したように、ステップ５５に移る前にまず残額を「合計残額」として格納しておく。次に、図６に示すように、利用者に不足額の支払いを促すためにその旨として不足額を表示部に表示する（ステップ５０１）。不足額は利用金額から残額を引いた額である。
【００５４】
そして、次の３つのイベントのうちいずれかの発生を待つ（ステップ５０２）。ひとつは、非接触ＩＣカードからの受信である。これは、利用者が不足分の支払いのため２枚目以降の非接触ＩＣカードをアンテナに近接させた場合に対応する。２つ目は、取り消しボタンの入力待ちである。これは、非接触ＩＣカードでの支払いそのものを利用者が選択により撤回する場合に対応する。３つ目は、車両が移動されてしまったことの車両センサによる検出である。この場合は、この料金収受処理機での処理が中途になってしまうので、追行する処理を行なうために必要な情報の記録や従来の収受装置へその記録の送信を行なう場合に対応する。
【００５５】
車両の退出が検出されず（ステップ５０３のＮ）、取り消しボタン入力もない場合には（ステップ５０４のＮ）、非接触ＩＣカードからの受信を待ちその受信により非接触ＩＣカードに保持された少なくともカード固有情報、残額を読み取る（ステップ５０５）。ここで、読み取られたカード固有情報によりすでに読み取られた非接触ＩＣカードのものと同じであることが判明した場合には（ステップ５０６のＹ）、処理が先に進み得ないので上記ステップ５０２に戻る。
【００５６】
すでに読み取られた非接触ＩＣカードと同じではない場合には（ステップ５０６のＮ）、そこで読み取られた残額を「合計残額」に加えて改めて「合計残額」として保持する（ステップ５０７）。また、利用料金のうち不足分により読み取られた残額を減額変更して変更残額を算出する（同）。ここでも、不足分より残額の方が少ない場合もあり得るが、変更残額の最低は０円である。なお不足する場合については以下述べる。
【００５７】
続けて、アンテナに近接されている非接触ＩＣカードに対して、算出された変更残額のほか、履歴情報を無線で書き込む（ステップ５０８）。履歴情報としては、例えば、もともと不足が生じた非接触ＩＣカード（すなわち１枚目の非接触ＩＣカード）のカード固有情報を書き込むことができる。情報を書き込んだら変更残額を表示部に表示する（ステップ５０９）。
【００５８】
次に、利用料金より上記合計残額が少なかった場合には（ステップ５１０のＹ）、まだ不足分があるのでステップ５０１に戻り更なる別の非接触ＩＣカードによる処理などの待機状態に移行する。これにより同様に３枚以上の非接触ＩＣカードによる処理も可能になる。合計残額が利用料金より少なくない場合には（ステップ５１０のＹ）、これで支払いに問題はないので、その旨の表示と利用者に出場を促すために表示部に「通行可能」の表示を行なう（ステップ５１１）。そして、リターンステータスを「正常」として（ステップ５１２）リターンする。この場合はリターンステータスが「退出」ではないので、図４に示したようにステップ５６のＮに抜けて以下すでに説明したステップ５１以降の処理を行なう。
【００５９】
ステップ５０２におけるイベント待ちにおいて利用者が取り消しボタン入力を行なった場合には（ステップ５０４のＹ）、「最初のカードを近づけてください」の表示を表示部で行なう（ステップ５１３）。これにより利用者が非接触ＩＣカードをアンテナに近接させるとそれからの受信処理がなされる（ステップ５１４）。この受信処理は、すでに説明した図４におけるステップ４４（図５に詳記）と同様のものでよいが、入口情報および残額の読み取りを省略するような簡略化を行なってもよい。
【００６０】
ステップ５１４のリターンステータスが退出である場合には（ステップ５１５のＹ）、この料金収受処理機での処理が中途になってしまうので、追行する処理を行なうために必要な情報の記録や従来の収受装置へその記録の送信を行なうためステップ５２１の処理に移行する。この場合については後述する。ステップ５１４のリターンステータスが退出でない場合には（ステップ５１５のＮ）、読み取られたカード固有情報から最初の非接触ＩＣカードであるか否かが判定される（ステップ５１６）。最初の非接触ＩＣカードでない場合には、非接触ＩＣカードからの受信をさらに行なう（ステップ５１６のＮからステップ５１４）。
【００６１】
最初の非接触ＩＣカードである場合には、読み取りに続けてこの時点の「合計残額」のほか、履歴情報を無線で書き込む（ステップ５１７）。履歴情報としては、取り消しを行なった旨を追記的に記録する。なお、ここで「合計残額」は「さらに変更された変更後の残額情報」に相当している。そしてさらにその非接触ＩＣカードに記録された出口情報を消去する（ステップ５１８）。この出口情報は図４におけるステップ４８で記録されたものである。この消去は、非接触ＩＣカードによる料金支払いを取り止めたことの名目的な対応のためである。
【００６２】
以上の記録および消去がされたら、次に、利用者への確認のため、表示部に上記合計残額および「カード支払い不能」の表示を行なう（ステップ５１９）。そしてリターンスタータスを「取り消し」として（ステップ５２０）リターンする。この場合もリターンステータスが「退出」ではないので、図４に示したようにステップ５６のＮに抜けて以下すでに説明したステップ５１以降の処理を行なう。なお、この場合の利用料金支払いは、例えば従来の収受装置３６（図３）により例えば人手を介して行なう。
【００６３】
ステップ５０２におけるイベント待ちにおいて利用者が車両を移動させてしまった場合、またはステップ５１４において非接触ＩＣカードの保持情報が読み取られる前に利用者が車両を移動させてしまった場合には、各データを記録する（ステップ５２１）。より具体的には、カード固有情報、合計残額、処理過程などの記録である。これらのデータを収受装置３６に送信するようにすれば、例えば人手によりその後の処理を追行することができる。またはカード固有情報を記録しているので後方での処理を別途行なうようにもできる。
【００６４】
ステップ５２１の処理が終わったらリターンステータスを「退出」として（ステップ５２２）リターンする。この場合はリターンステータスが「退出」なので、図４に示したようにステップ５６のＹに抜けてすでに説明したステップ５３以降の処理を行なう。
【００６５】
以上述べたように、この実施形態によれば、非接触ＩＣカードの残額が不足の場合に、他の非接触ＩＣカードから金額を補充することにより、複数枚での料金支払いが可能となる。特に有人処理や他の収受装置等を使用することなく、利用者が直接アンテナへ他の非接触ＩＣカードを近接させるだけで、複数枚での支払が可能となり利便性がよくなる。また、残不足を検知した時点で、その非接触ＩＣカードに変更残額や出口情報を書き込むため、複数枚処理後に再度その非接触ＩＣカードを処理する必要がなく、多くても非接触ＩＣカードの枚数分だけアンテナへ近接させればよく、支払いにかかる処理時間が短い。
【００６６】
さらに、残不足が発生した場合には、利用者の選択によりその非接触ＩＣカードでの支払いを取り消すことが可能である。また、処理中、アンテナ前から車両が退出したことを検知し、その時点で処理をキャンセルするようにしているので、それまでに引き去った残額を保証することができる。例えば、次車両のカードに対する残額として使用してしまうことを防ぐことができる。また、その際に、すでに引き去った残額等を収受装置へ送信することにより、キャンセルした車両に対する後方処理を収受機にて行なうことが可能となる。例えば、収受装置に引き去り額を表示しその額を利用者へ返却するなどである。
【００６７】
また、カードの固有情報をチェックするため、アンテナおよび処理部が同時に複数枚との交信を可能とする能力があれば、非接触ＩＣカードを複数枚重ねてアンテナに近接させ１回の操作で処理することも可能である。
【００６８】
また、複数枚の非接触ＩＣカードが利用者の操作で一度に簡単に使用できることにより、現在のハイカの様に広く普及させるにも役立つ。さらに、残額が少なくなった非接触ＩＣカードはサービスエリアや料金所に設置される専用の処理機で金額の収容（チャージ）が可能であるが、専用の処理機を設置していない路線などの顧客に対しては複数枚の購入でサービスの低下を防ぐことが可能である。
【００６９】
図７ないし図１０は、それぞれ、上記説明の非接触ＩＣカード対応料金収受機を用いた場合に非接触ＩＣカードに保持された記録がどのように推移するかを説明する図である。
【００７０】
まず、図７は、１枚の非接触ＩＣカードにより支払いが完了する場合である。出口において、左側に示されたような記録がされた非接触ＩＣカードが読み取られる。このカードには、この時点で、固有情報、入口情報、残額、履歴情報が記録されている。残額が例えば５００円とし利用料金が２００円とすると、出口での書き込みにより、右側に示すようにそれらの差の３００円が変更後の残額となる。この履歴は履歴情報に書き込まれる。また、入口情報が消去され出口情報が書き込まれる。
【００７１】
図８は、２枚の非接触ＩＣカードにより支払いが完了する場合である。出口において、上段左に示されたような記録がされた非接触ＩＣカードが読み取られる。このカードには、この時点で、固有情報、入口情報、残額、履歴情報が記録されている。残額が例えば１００円とし利用金額が２００円とすると、出口での書き込みにより、上段右に示すように残額は０円となるが不足分が生じる。残額が減じられたこととともにこの不足分が生じた旨が履歴情報に書き込まれる。また、入口情報が消去され出口情報が書き込まれる。なお、料金収受処理機が保持する合計残額はこの時点で１００円である。
【００７２】
次に、２枚目の非接触ＩＣカードが読み込まれるが、この時点で２枚目の非接触ＩＣカードには下段左に示すように少なくとも固有情報、残額が記録されている。なお、出口情報、履歴情報が記録されている場合もあり得る。ここでは残額が５００円であるので、料金収受処理機が保持する合計残額は１００円＋５００円で６００円となる。ここでは利用料金は２００円なので、出口での書き込みにより、下段右に示すように、合計残額６００円から利用料金２００円が減額され変更後の残額として４００円が書き込まれる。この履歴は履歴情報に書き込まれる。履歴情報には、１枚目の非接触ＩＣカードの固有情報も書き込む。これによりどのカードの不足処理を行なったのかが記録される。
【００７３】
図９は、非接触ＩＣカードにより料金支払いをしようとしたが、残額が不足していることがわかったので、利用者の選択により非接触ＩＣカードによる料金支払いを撤回した場合である。図９の上段に示された推移は図８の上段に示されたものと同一である。この後、利用者が取り消しボタン入力を行なって非接触ＩＣカードによる料金支払いを取り止める。これにより、利用者が再びその同じ非接触ＩＣカードをアンテナに近接させると、少なくともそのカード固有情報が読み取られ同一の非接触ＩＣカードであることが料金収受処理機側で確認される。
【００７４】
そして、出口での更なる書き込みにより、下段右に示すように、出口情報が消去されかつ残額は引き去られる前のものに戻される。また履歴情報には取り消しを行なった旨が追記される。これにより、この非接触ＩＣカードはまた別の機会にその残額が利用可能になる。
【００７５】
図１０は、非接触ＩＣカードを２枚目まで読み取らせ料金支払いをしようとしたが、なお残額が不足していることがわかったので、利用者の選択により非接触ＩＣカードによる料金支払いを撤回した場合である。図１０の上段に示された推移は図８、図９の上段に示されたものと同一である。
【００７６】
次に、２枚目の非接触ＩＣカードが読み込まれるが、この時点で２枚目の非接触ＩＣカードには中断左に示すように少なくとも固有情報、残額が記録されている。なお、出口情報、履歴情報が記録されている場合もあり得る。ここでは残額が５０円であるので、料金収受処理機が保持する合計残額は１００円＋５０円で１５０円となる。ここでは利用料金が２００円なので、出口での書き込みにより、中段右に示すように、もとの残額５０円が減額され変更後の残額として０円が書き込まれるがなお不足分が生じる。なお不足分が生じた履歴は履歴情報に書き込まれる。また、履歴情報には、１枚目（先に読み取らせた複数の場合もあり得る）の非接触ＩＣカードの固有情報も書き込む。これによりどのカードの不足処理を行なったのかが記録される。
【００７７】
この後、利用者が取り消しボタン入力を行なって非接触ＩＣカードによる料金支払いを取り止める。これにより、利用者が再び最初の非接触ＩＣカードをアンテナに近接させると、少なくともそのカード固有情報が読み取られ最初の非接触ＩＣカードであることが料金収受処理機側で確認される。
【００７８】
そして、出口での更なる書き込みにより、下段右に示すように、出口情報が消去されかつ残額はその時点で料金収受処理機が保持していた合計残額１５０円にされる。これにより、この非接触ＩＣカードはまた別の機会にその残額が利用可能になる。また履歴情報には取り消しを行なった旨が追記される。また、履歴情報として２枚目（３枚目、…）の非接触ＩＣカードの固有情報を書き込むようにしてもよい。
【００７９】
図１０に示すような場合、すなわち２枚以上読み取らせた後で非接触ＩＣカードによる支払いを撤回する場合に、最初に読み取らせた非接触ＩＣカードのみでその処理を済ませるようにすれば、取り消しの手間は最低限になる。
【００８０】
【発明の効果】
以上詳述したように、本発明よれば、非接触ＩＣカードとの間で所定の情報を送受信可能なアンテナ、所定の手順により非接触ＩＣカードが有する変更後の残額情報を生成する処理部に加えて、料金不足の場合にその旨および不足分を報知する報知部を設ける。そして、この報知により、報知に係る非接触ＩＣカードとは異なる第２の非接触ＩＣカードがアンテナに近接され、その残額情報がアンテナにより受信されると、第２の非接触ＩＣカードの変更後の残額情報を不足分に基づき生成する。よって、第２の非接触ＩＣカードの残額も料金収受に用いられるようにすることができる。したがって、非接触ＩＣカードを複数枚用いる料金収受が可能な非接触ＩＣカード対応料金収受処理機を提供することができる。
【図面の簡単な説明】
【図１】本発明の一実施形態に係る非接触ＩＣ対応料金収受処理機が対応可能な非接触ＩＣカードにおけるその内部メモリのメモリフォーマットを示す図。
【図２】本発明の一実施形態に係る非接触ＩＣ対応料金収受処理機の構成を示すブロック図。
【図３】図２に示す非接触ＩＣカード対応料金収受機を実際に道路に設ける場合の構成を模式的に示す斜視図。
【図４】本発明の一実施形態に係る非接触ＩＣカード対応料金収受機の動作フローを示す流れ図。
【図５】図４中に示したステップ４４（非接触ＩＣカード受信処理）を詳細に示す流れ図。
【図６】図４中に示したステップ５５（残額不足時処理）を詳細に示す流れ図。
【図７】本発明の一実施形態に係る非接触ＩＣカード対応料金収受機を用いた場合に非接触ＩＣカードに保持された記録がどのように推移するかを説明する図（一例）。
【図８】本発明の一実施形態に係る非接触ＩＣカード対応料金収受機を用いた場合に非接触ＩＣカードに保持された記録がどのように推移するかを説明する図（別の例）。
【図９】本発明の一実施形態に係る非接触ＩＣカード対応料金収受機を用いた場合に非接触ＩＣカードに保持された記録がどのように推移するかを説明する図（さらに別の例）。
【図１０】本発明の一実施形態に係る非接触ＩＣカード対応料金収受機を用いた場合に非接触ＩＣカードに保持された記録がどのように推移するかを説明する図（さらに別の例）。
【符号の説明】
１０…非接触ＩＣカードのメモリ  １１…固有情報エリア  １２…入口情報エリア  １３…出口情報エリア  １４…残額情報エリア  １５…履歴情報エリア  ２１…ＣＰＵ  ２２…メモリ  ２３、３３…アンテナ  ２４、３４…車両センサ２５、３２…表示部  ２６、３１…操作部  ２７…電源部  ２８…収受装置インターフェース部  ３５…出口車線
【図１】
2004341950.tif 000003
【図２】
2004341950.tif 000004
【図３】
2004341950.tif 000005
【図４】
2004341950.tif 000006
【図５】
2004341950.tif 000007
【図６】
2004341950.tif 000008
【図７】
2004341950.tif 000009
【図８】
2004341950.tif 000010
【図９】
2004341950.tif 000011
【図１０】
2004341950.tif 000012